(57)【要約】【課題】飲料に撹拌のための遠心力が働きやすく、スワリングが容易なグラスの提供を目的とする。【解決手段】底外縁部から底中心部に向けて円錐状の凹部形状に形成してなる底部を有するグラス本体と、上面が凸面形状のスワリング駒とを備え、前記スワリング駒をテーブル上に置き、前記グラス本体を前記スワリング駒の上に載せると、前記グラス本体が傾きスワリング可能になっていることを特徴とする。【選択図】  図１
2020152968.tif 000002
【特許請求の範囲】
【請求項１】
底外縁部から底中心部に向けて円錐状の凹部形状に形成してなる底部を有するグラス本体と、上面が凸面形状のスワリング駒とを備え、
前記スワリング駒をテーブル上に置き、前記グラス本体を前記スワリング駒の上に載せると、前記グラス本体が傾きスワリング可能になっていることを特徴とするグラス。
【請求項２】
前記グラス本体は、側壁が外側に膨出したボール部と当該ボール部の上端に飲み口となるリム部を有することを特徴とする請求項１記載のグラス。
【発明の詳細な説明】
【技術分野】
【０００１】
本発明は、ワイングラス，ウイスキーグラス，ブランデーグラス等のスワリングに適したグラスに関する。
【背景技術】
【０００２】
ワイン，ブランデー，ウイスキー等の飲料にあっては、香りも重要な要素の１つである。
ワインは少し空気に触れさせることで、ワイン本来の味を引き出し、香りを引き立てることができるために、グラスに注がれたワインがグラスの内側で渦巻くようにグラスを回す、いわゆるスワリングをする場合がある。
また、ウイスキーの香りを楽しんだり、氷と程よく混ぜるためにスワリングが行われる。
また、これらの飲料をティスティングする際にもスワリングが行われる。【０００３】
特許文献１には、スワリング可能なワイングラスとして撹拌用グラスを提案している。
しかし、同公報に開示するグラスは外底部中央に突設した回転軸と、この回転軸の外側に回転軸よりも突設量が少ない外底部周囲縁を設けることで５０〜７０°の範囲で傾くものである。
これでは、グラスがゴロゴロと転がるだけであり、ワインに充分な遠心力が作用するとは言えず、スワリングには程遠いものである。
【先行技術文献】
【特許文献】
【０００４】
【特許文献１】日本国実用新案登録第３１４４９６５号公報
【発明の開示】
【発明が解決しようとする課題】
【０００５】
本発明は、飲料に撹拌のための遠心力が働きやすく、スワリングが容易なグラスの提供を目的とする。
【課題を解決するための手段】
【０００６】
本発明に係るグラスは、底外縁部から底中心部に向けて円錐状の凹部形状に形成してなる底部を有するグラス本体と、上面が凸面形状のスワリング駒とを備え、前記スワリング駒をテーブル上に置き、前記グラス本体を前記スワリング駒の上に載せると、前記グラス本体が傾きスワリング可能になっていることを特徴とする。
本発明に係るグラスは、グラス本体の下側にステムを有しないステムレスグラスになっている。
グラス本体の下側にステムと座部を有するタイプのグラスにあっては、ステムを指で軽く持ち、グラス本体をスワリングできるが、本発明はステムレスのグラスであってもスワリングが容易になるようにした点に特徴がある。
ここで、前記グラス本体は、側壁が外側に膨出したボール部と当該ボール部の上端に飲み口となるリム部を有するのが好ましい。
側壁が外側に膨出していると、飲料に撹拌遠心力が働きやすくなる。【０００７】
本発明に係るグラス本体は、スワリング駒を用いることなく、直接テーブルに載置することもできる。
スワリング駒をテーブル上に置き、その上にグラス本体を載せると、グラス本体が傾くように置かれる。
なお、ここでテーブルは手でグラスを持たない時に置いておくためのものを便宜上、テーブルと表現したものであって、グラスを置く場所に制限はない。【０００８】
また、グラス本体をスワリング駒の上に載せると、グラス本体の底外縁部の外周の一部がテーブル上に接することで、グラス本体が傾いた状態に、このテーブルに載置される。
また、スワリング駒は、上面に形成した凸面形状部の周囲にグラス本体の底外縁部を載置できる載置部を合せて形成すると、スワリング駒単独でもグラス本体部を置くことができる。【０００９】
本発明に係るグラスにおいて、グラスの側壁が外側に膨出したボール部に形成すると、飲料が撹拌されやすくなる。
この膨出した部分の内径が飲み口となるリム部の内径よりも大きい程、スワリング時に大きな遠心力を飲料に加えることができる。
その一方で、ワインの種類に合せて飲み口の形状を合せることができるようにリム部の下側に縮径したくびれ部を形成してもよい。
【発明の効果】
【００１０】
本発明に係るグラスはスワリング駒をテーブル上に置き、この上にグラス本体を傾けるように載置する。
この状態でグラス本体をスワリングすると、グラス本体部がスワリング駒の凸面形状部に沿って回転することになり、安定したスワリングを行うことができる。
また、グラス本体を手で持ち、スワリング駒の上で回すようにして、このグラス本体をテーブルに触れさせることなく、スワリングすることもできる。
【図面の簡単な説明】
【００１１】
【図１】本発明に係るグラスの構造例を示し、（ａ）は断面図、（ｂ）は外観図、（ｃ），（ｄ）はスワリング状態の例を示す。
【図２】（ａ）はグラス本体の断面図とスワリング駒との関係を示し、（ｂ），（ｃ）はグラス本体とスワリング駒を離した状態を示す。
【図３】第２の実施例を示す。
【図４】スワリング駒にグラス本体の載置部を設けた例を示す。
【符号の説明】
【００１２】
１０        グラス
１０ａ      グラス本体
１１        ボール部
１２        リム部
１２ａ      くびれ部
１３ａ      底外縁部
１３ｃ      底中心部
２０        スワリング駒
【発明を実施するための最良の形態】
【００１３】
本発明に係るグラスは、ステムレスでありながら容易にスワリングできる点に特徴があり、本実施例に限定されない。【００１４】
図１（ｂ）に本発明に係るグラスの外観を示し、図１（ａ）に断面図を示す。
グラス１０は、ボール型のグラス本体１０ａとスワリング駒２０からなる。
グラス本体１０ａとスワリング駒２０は図２（ｂ），（ｃ）に示すように分離可能であり、グラス本体１０ａ単独でテーブル上に置くこともできる。【００１５】
グラス本体１０ａは、側壁が外側に膨出したボール部１１の底部の外側形状が次のようになっている。
外側が円形状の底外縁部１３ａから容器の内側中心に向けて凹部形状に突設した底中心部１３ｃを有する。
即ち、この凹部形状は底外縁部１３ａから円錐状に隆起した隆起壁１３ｂが形成されている。
また、ボール部１１の上部側は縮径したくびれ部１２ａ及び飲み口となるリム部１２を有する。【００１６】
スワリング駒２０は、図１（ａ）に断面図，図２（ｃ）に斜視図を示すように上面側が凸部形状２１になっている。
この凸部形状２１は表面が滑らかな曲面形状になっていて、グラス本体１０ａの隆起壁１３ｂと接触する摺接部２１ａとその上側の頂部２１ｂを有する。
スワリング駒２０をテーブル上に置き、その上にグラス本体１０ａを載せた状態を図１及び図２に示す。
グラス本体１０ａは底外縁部１３ａの外周の一部がテーブル上に載り、そのテーブルとの接触部の反対側はグラス本体１０ａの底部に有する外側凹部形状の隆起壁１３ｂに接するように傾いた状態になる。
この状態でグラス本体１０ａを手で触り軽く回すと、図１（ｃ），（ｄ）に示すようにスワリング駒２０の凸面形状に沿ってスイングするように回転する。
これによりスワリング中心がスワリング駒２０により安定する。
この場合に、グラス本体１０ａを手で軽く持ち、グラス本体１０ａをテーブルとは接しないようにスワリングすることもできる。【００１７】
図３に実施例２の例を示す。
グラス本体をスワリングする際に、グラスに注いだワイン等の飲料に強い回転力（遠心力）を加えやすいために膨出部のボール部内径ｄ０を図１の実施例１よりも大きくした例である。
飲み口となる、リム部内径ｄ１より小さいくびれ径ｄ２を経由して、リム部内径ｄ１の１．２〜１．８倍程度のボール部内径ｄ０となっている。【００１８】
このように本発明に係るグラスはテーブル上にスワリング駒２０を置き、その上にグラスを傾けるように置くだけで容易にしかも安定してスワリングできるので、飲料の香り等を楽しむことができワインの場合には空気と触れさせることでワイン本来の味を楽しむことができる。【００１９】
上記の実施例は、グラス本体をテーブル上に置いた状態では底外縁部１３ａの外周の一部がテーブルに接しているが、本発明に係るスワリング駒は図４に示すように、スワリング駒１２０単独でグラス本体１０ａを載置できるように、中央部側の凸面形状部１２２の周囲にグラス本体を傾けて載置できる載置部１２１を形成したものでもよい。
【産業上の利用可能性】
【００２０】
本発明に係るグラスは、スワリングに適しており、各種飲料用のグラスとして利用できる。
【図１】
2020152968.tif 000003
【図２】
2020152968.tif 000004
【図３】
2020152968.tif 000005
【図４】
2020152968.tif 000006
【国際調査報告】
2020152968.tif 000007
2020152968.tif 000008
2020152968.tif 000009
2020152968.tif 000010